(57)【要約】【課題】オン／オフ信号により電源オン／オフモジュールを制御することにより、テレビカードを使用していないときに電源を完全に遮断し、電力が無駄に消費されないようにする電源オン／オフ機能を備えたテレビカードを提供する。【解決手段】電源オン／オフ機能を備えたテレビカードは、テレビカードチップモジュール１０と、テレビカードチップモジュール１０に接続され、テレビカードチップモジュール１０へ電源電圧１１を伝送したり遮断したりすることが可能な電源オン／オフモジュール１２と、複数のピンを有し、電源オン／オフモジュール１２およびホスト１００に接続され、ホスト１００から電源オン／オフモジュール１２へ電源電圧１１を供給する接続インタフェース２４と、を備える。【選択図】図１
2009140465.tif 000002
【特許請求の範囲】
【請求項１】
テレビカードチップモジュールと、
前記テレビカードチップモジュールに接続され、前記テレビカードチップモジュールへ電源電圧を伝送したり遮断したりすることが可能な電源オン／オフモジュールと、
複数のピンを有し、前記電源オン／オフモジュールおよびホストに接続され、該ホストから前記電源オン／オフモジュールへ前記電源電圧を供給する接続インタフェースと、を備え、
前記複数のピンは、オン／オフ信号を受信し、前記接続インタフェースを介して前記電源オン／オフモジュールへ前記オン／オフ信号を伝送する保留ピンを含み、前記電源オン／オフモジュールにより前記テレビカードチップモジュールへ前記電源電圧を伝送したり遮断したりすることが可能なことを特徴とする電源オン／オフ機能を備えたテレビカード。
【請求項２】
前記テレビカードは、ミニカードであることを特徴とする請求項１に記載の電源オン／オフ機能を備えたテレビカード。
【請求項３】
前記接続インタフェースは、ＰＣＩ  ＥｘｐｒｅｓｓインタフェースまたはＵＳＢインタフェースであることを特徴とする請求項１に記載の電源オン／オフ機能を備えたテレビカード。
【請求項４】
前記保留ピンは、ハードウェア・オン／オフ装置に接続され、
前記オン／オフ信号は、前記ハードウェア・オン／オフ装置により生成されることを特徴とする請求項１に記載の電源オン／オフ機能を備えたテレビカード。
【請求項５】
前記保留ピンは、前記ホストに接続され、
前記オン／オフ信号は、前記ホストのアプリケーションプログラムにより生成され、前記ホストにより前記保留ピンへ伝送されることを特徴とする請求項１に記載の電源オン／オフ機能を備えたテレビカード。
【請求項６】
テレビカードチップモジュールと、
前記テレビカードチップモジュールに接続され、前記テレビカードチップモジュールへ電源電圧を伝送したり遮断したりすることが可能な電源オン／オフモジュールと、
前記電源オン／オフモジュールおよびホストへ接続され、該ホストから前記電源オン／オフモジュールへ前記電源電圧を供給する接続インタフェースと、
前記電源オン／オフモジュールへ接続され、オン／オフ信号を受信して前記電源オン／オフモジュールへ伝送し、前記電源オン／オフモジュールにより前記テレビカードチップモジュールへ前記電源電圧を伝送したり遮断したりすることが可能なケーブルと、を備えることを特徴とする電源オン／オフ機能を備えたテレビカード。
【請求項７】
前記テレビカードは、ミニカードであることを特徴とする請求項６に記載の電源オン／オフ機能を備えたテレビカード。
【請求項８】
前記接続インタフェースは、ＰＣＩ  ＥｘｐｒｅｓｓインタフェースまたはＵＳＢインタフェースであることを特徴とする請求項６に記載の電源オン／オフ機能を備えたテレビカード。
【請求項９】
前記ケーブルは、ハードウェア・オン／オフ装置に接続され、
前記オン／オフ信号は、前記ハードウェア・オン／オフ装置により生成されることを特徴とする請求項６に記載の電源オン／オフ機能を備えたテレビカード。
【請求項１０】
前記ケーブルは、前記ホストに接続され、
前記オン／オフ信号は、前記ホストのアプリケーションプログラムにより生成され、前記ホストにより前記電源オン／オフモジュールへ伝送されることを特徴とする請求項６に記載の電源オン／オフ機能を備えたテレビカード。
【発明の詳細な説明】
【技術分野】
【０００１】
本発明は、テレビカードに関し、特に、電源オン／オフ機能を備えたテレビカードに関する。
【背景技術】
【０００２】
娯楽事業は、レジャー時間の増加に伴い、重視されるようになってきた。そしてテレビカードは、コンピュータの普及につれ、コンピュータマルチメディアの娯楽に利用されるようになってきた。軽量で薄型のノートブック型コンピュータには、ミニカード形式によるテレビカードが内蔵され、様々な機能を備えるようになってきた。
【０００３】
しかし、ノートブック型コンピュータの電源は、携帯用バッテリーから供給されるため、供給可能な電力には限界があり、各素子を省電力型にして消費電力を少なくすることが求められていた。しかし従来のテレビカードは、使用されていない時にも待機モードで電力が継続的に消費されていた。そのため、バッテリーの電力が余計に消費され、ノートブック型コンピュータの動作に必要な電力が少なくなってしまうことがあった。
【発明の開示】
【発明が解決しようとする課題】
【０００４】
そのため、電源のオン／オフを行い、使用していないときに電源を完全に遮断することが可能なテレビカードが求められていた。
【０００５】
そのため本発明の目的は、オン／オフ信号により電源オン／オフモジュールを制御することにより、テレビカードを使用していないときに電源を完全に遮断し、電力が無駄に消費されない電源オン／オフ機能を備えたテレビカードを提供することにある。
【課題を解決するための手段】
【０００６】
（１）  テレビカードチップモジュールと、前記テレビカードチップモジュールに接続され、前記テレビカードチップモジュールへ電源電圧を伝送したり遮断したりすることが可能な電源オン／オフモジュールと、複数のピンを有し、前記電源オン／オフモジュールおよびホストに接続され、該ホストから前記電源オン／オフモジュールへ前記電源電圧を供給する接続インタフェースと、を備え、前記複数のピンは、オン／オフ信号を受信し、前記接続インタフェースを介して前記電源オン／オフモジュールへ前記オン／オフ信号を伝送する保留ピンを含み、前記電源オン／オフモジュールにより前記テレビカードチップモジュールへ前記電源電圧を伝送したり遮断したりすることが可能なことを特徴とする電源オン／オフ機能を備えたテレビカード。
【０００７】
（２）  前記テレビカードは、ミニカードであることを特徴とする（１）に記載の電源オン／オフ機能を備えたテレビカード。
【０００８】
（３）  前記接続インタフェースは、ＰＣＩ  ＥｘｐｒｅｓｓインタフェースまたはＵＳＢインタフェースであることを特徴とする（１）に記載の電源オン／オフ機能を備えたテレビカード。
【０００９】
（４）  前記保留ピンは、ハードウェア・オン／オフ装置に接続され、前記オン／オフ信号は、前記ハードウェア・オン／オフ装置により生成されることを特徴とする（１）に記載の電源オン／オフ機能を備えたテレビカード。
【００１０】
（５）  前記保留ピンは、前記ホストに接続され、前記オン／オフ信号は、前記ホストのアプリケーションプログラムにより生成され、前記ホストにより前記保留ピンへ伝送されることを特徴とする（１）に記載の電源オン／オフ機能を備えたテレビカード。
【００１１】
（６）  テレビカードチップモジュールと、前記テレビカードチップモジュールに接続され、前記テレビカードチップモジュールへ電源電圧を伝送したり遮断したりすることが可能な電源オン／オフモジュールと、前記電源オン／オフモジュールおよびホストへ接続され、該ホストから前記電源オン／オフモジュールへ前記電源電圧を供給する接続インタフェースと、  前記電源オン／オフモジュールへ接続され、オン／オフ信号を受信して前記電源オン／オフモジュールへ伝送し、前記電源オン／オフモジュールにより前記テレビカードチップモジュールへ前記電源電圧を伝送したり遮断したりすることが可能なケーブルと、を備えることを特徴とする電源オン／オフ機能を備えたテレビカード。
【００１２】
（７）  前記テレビカードは、ミニカードであることを特徴とする（６）に記載の電源オン／オフ機能を備えたテレビカード。
【００１３】
（８）  前記接続インタフェースは、ＰＣＩ  ＥｘｐｒｅｓｓインタフェースまたはＵＳＢインタフェースであることを特徴とする（６）に記載の電源オン／オフ機能を備えたテレビカード。
【００１４】
（９）  前記ケーブルは、ハードウェア・オン／オフ装置に接続され、前記オン／オフ信号は、前記ハードウェア・オン／オフ装置により生成されることを特徴とする（６）に記載の電源オン／オフ機能を備えたテレビカード。
【００１５】
（１０）  前記ケーブルは、前記ホストに接続され、前記オン／オフ信号は、前記ホストのアプリケーションプログラムにより生成され、前記ホストにより前記電源オン／オフモジュールへ伝送されることを特徴とする（６）に記載の電源オン／オフ機能を備えたテレビカード。
【発明の効果】
【００１６】
本発明の電源オン／オフ機能を備えたテレビカードは、オン／オフ信号により電源オン／オフモジュールを制御することにより、テレビカードを使用していないときに電源を完全に遮断し、電力が無駄に消費されないようにすることができる。
【発明を実施するための最良の形態】
【００１７】
以下、本発明の実施形態を図面に基づいて説明する。なお、これによって本発明が限定されるものではない。
【００１８】
（第１実施形態）
図１を参照する。図１は、本発明の第１実施形態によるテレビカード１およびホスト１００を示すブロック図である。第１実施形態では、テレビカード１はミニカード（ｍｉｎｉ  ｃａｒｄ）であるが、他の実施形態ではミニカード以外の態様にしてもよい。テレビカード１は、テレビカードチップモジュール１０、電源オン／オフモジュール１２および接続インタフェース１４を含む。電源オン／オフモジュール１２は、テレビカードチップモジュール１０へ接続され、テレビカードチップモジュール１０へ電源電圧１１を伝送したり遮断したりすることが可能である。第１実施形態では、接続インタフェース１４はＰＣＩ  Ｅｘｐｒｅｓｓ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インタフェースであるが、他の実施形態ではＵＳＢ（Ｕｎｉｖｅｒｓａｌ  Ｓｅｒｉａｌ  Ｂｕｓ）インタフェースでもよい。接続インタフェース１４は、電源オン／オフモジュール１２およびホスト１００に接続された複数のピンを含む。ホスト１００は、接続インタフェース１４によりテレビカードチップモジュール１０とデータの伝送を行う以外に、接続インタフェース１４により電源オン／オフモジュール１２へ電源電圧１１を供給することができる。これら複数のピンは、ホスト１００中に配置されたハードウェア・オン／オフ装置１０２に接続されている。これら複数のピンは、ハードウェア・オン／オフ装置１０２により生成されたオン／オフ信号１３を受信し、接続インタフェース１４を介して電源オン／オフモジュール１２へ伝送し、電源オン／オフモジュール１２からテレビカードチップモジュール１０へ電源電圧１１を伝送したり遮断したりすることができる。他の実施形態では、ホスト１００中に記憶された応用プログラム（図示せず）によりオン／オフ信号１３を生成し、保留ピン（ｒｅｓｅｒｖｅｄ  ｐｉｎ）１６でオン／オフ信号１３を受信した後、接続インタフェース１４により電源オン／オフモジュール１２へ伝送することにより、電源オン／オフモジュール１２からテレビカードチップモジュール１０へ電源電圧１１を伝送したり遮断したりすることができる。
【００１９】
表１は、接続インタフェース１４のピン定義表である。
【００２０】
【表１】
2009140465.tif 000003
【００２１】
表１に示すように、保留ピン１６は表中のＮＣ欄、つまり第３ピン、第５ピン、第８ピン、第１０ピンなどであり、オン／オフ信号１３を受信して電源オン／オフモジュール１２へ伝送する第１実施形態の保留ピン１６として用いてもよい。
【００２２】
第１実施形態のテレビカード１は、上述の接続インタフェース１４の保留ピン１６を介してオン／オフ信号１３を受信し、電源オン／オフモジュール１２へ伝送する。また、テレビカード１が使用されていないときは、テレビカード１の電源が遮断され、テレビカード１を使用するときには、オン／オフ信号１３および電源オン／オフモジュール１２によりホスト１００が供給した電源を伝送することにより、テレビカード１が使用されていないときの待機状態でも余計な電力が消費されないようにする。
【００２３】
（第２実施形態）
図２を参照する。図２は、本発明の第２実施形態によるテレビカード２およびホスト２００を示すブロック図である。第２実施形態のテレビカード２は、ミニカードであるが、他の実施形態ではミニカード以外の態様にしてもよい。テレビカード２は、テレビカードチップモジュール２０、電源オン／オフモジュール２２、接続インタフェース２４およびケーブル２６を含む。電源オン／オフモジュール２２は、テレビカードチップモジュール２０に接続され、テレビカードチップモジュール２０へ電源電圧２１を伝送したり遮断したりすることが可能である。第２実施形態では、接続インタフェース２４はＰＣＩ  Ｅｘｐｒｅｓｓインタフェースであるが、他の実施形態ではＵＳＢインタフェースにしてもよい。接続インタフェース２４は、電源オン／オフモジュール２２およびホスト２００に接続されている。ホスト２００は、接続インタフェース２４によりテレビカードチップモジュール２０とデータの伝送を行う以外に、接続インタフェース２４を介して電源オン／オフモジュール２２へ電源電圧２１を供給することもできる。ケーブル２６は、電源オン／オフモジュール２２に接続され、ホスト２００中に配置されたハードウェア・オン／オフ装置２０２が生成したオン／オフ信号２３を電源オン／オフモジュール２２へ伝送し、電源オン／オフモジュール２２からテレビカードチップモジュール２０へ電源電圧２１を伝送したり遮断したりすることが可能である。また他の実施形態では、ホスト２００中に記憶されたアプリケーションプログラム（図示せず）によりオン／オフ信号２３を生成し、ケーブル２６によりオン／オフ信号２３を受信してから電源オン／オフモジュール２２へ伝送し、電源オン／オフモジュール２２からテレビカードチップモジュール２０へ、電源電圧２１を伝送したり遮断したりすることが可能である。
【００２４】
第２実施形態のテレビカード２は、上述のケーブル２６を介してオン／オフ信号２３を電源オン／オフモジュール２２へ伝送し、テレビカード２を使用していないときにテレビカード２の電源が遮断され、テレビカード２を使用するときにオン／オフ信号２３および電源オン／オフモジュール２２によりホスト２００からの電源を供給する。そのため、テレビカード２００を使用していないときの待機状態でも余計な電力が消費されることがない。
【００２５】
（第３実施形態）
図３を参照する。図３は、本発明の第３実施形態によるテレビカード２およびホスト２００を示すブロック図である。図３に示すように、ハードウェア・オン／オフ装置２０２は、ホスト２００中だけでなく、テレビカード２上に配置することも可能である。第３実施形態のその他の部分は、第２実施形態と同じであるため、ここでは詳しく述べない。
【００２６】
上述の実施形態から分かるように、本発明は、オン／オフ信号により電源オン／オフモジュールを制御することにより、テレビカードを使用していないときに電源を完全に遮断し、余計な電力が消費されないようにすることができる。
【００２７】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【図面の簡単な説明】
【００２８】
【図１】本発明の第１実施形態によるテレビカードおよびホストを示すブロック図である。
【図２】本発明の第２実施形態によるテレビカードおよびホストを示すブロック図である。
【図３】本発明の第３実施形態によるテレビカードおよびホストを示すブロック図である。
【符号の説明】
【００２９】
１…テレビカード、  ２…テレビカード、  １０…テレビカードチップモジュール、  １１…電源電圧、  １２…電源オン／オフモジュール、  １３…オン／オフ信号、  １４…接続インタフェース、  １６…保留ピン、  ２０…テレビカードチップモジュール、  ２１…電源電圧、  ２２…電源オン／オフモジュール、  ２３…オン／オフ信号、  ２４…接続インタフェース、  ２６…ケーブル、  １００…ホスト、  １０２…ハードウェア・オン／オフ装置、  ２００…ホスト、  ２０２…ハードウェア・オン／オフ装置。
【図１】
2009140465.tif 000004
【図２】
2009140465.tif 000005
【図３】
2009140465.tif 000006